(57)【要約】【課題】悪戯による緩みと外れを防止できる締付結合装置および締付結合方法を提供する。【解決手段】ボルト１の本体部１ａを、被締付結合部材６、７に形成された孔６ａ、７ａへ貫通させ、キーナット２の内周面に形成されためねじ部２ｂを、ボルト１の外周面に形成されたおねじ部１ｂと螺合させ、締め専用ナット３の内周面に形成されためねじ部３ｃを、キーナット２の外周面にボルト１のおねじ部１ｂより粗い形状で形成されたおねじ部３ｃと螺合させる。次に、締め専用ナット３を締め方向へ回転させることにより、キーナット２をボルト１と被締付結合部材６、７に対して締めて、キーナット２とボルト１の頭部１ｃとで被締付結合部材６、７を締め付けて結合する。そして、締め専用ナット３を緩め方向へ回転させることにより、キーナット２をボルト１と被締付結合部材６、７に対して緩めることなく、締め専用ナット３をキーナット２から外す。【選択図】 図１Ｂ
2008014469.tif 000002
【特許請求の範囲】
【請求項１】
棒状の本体部の外周面におねじ部が形成され、一端に頭部が形成され、本体部が被締付結合部材に形成された孔を貫通するボルトと、
筒状の本体部の内周面に前記ボルトの前記おねじ部と螺合可能なめねじ部が形成され、外周面におねじ部と円形の鍔部が形成され、前記ボルトと組み合わされてボルトとともに前記被締付結合部材を締め付けて結合するキーナットと、
筒状の本体部の内周面に前記キーナットの前記おねじ部と螺合可能なめねじ部が形成され、前記キーナットと組み合わされてキーナットを前記ボルトと前記被締付結合部材に対して締め、前記被締付結合部材の締め付け結合状態で前記キーナットから外される締め専用ナットと、を備え、
前記ボルトの前記おねじ部と前記キーナットの前記めねじ部の形状より、前記キーナットの前記おねじ部と前記締め専用ナットの前記めねじ部の形状の方が粗いことを特徴とする締付結合装置。
【請求項２】
請求項１に記載の締付結合装置において、
前記ボルトの前記おねじ部と前記キーナットの前記めねじ部のねじ山のピッチより、前記キーナットの前記おねじ部と前記締め専用ナットの前記めねじ部のねじ山のピッチの方が大きいことを特徴とする締付結合装置。
【請求項３】
請求項１または請求項２に記載の締付結合装置において、
前記ボルトの前記おねじ部と前記キーナットの前記めねじ部のねじ山の断面形状は三角形であり、前記キーナットの前記おねじ部と前記締め専用ナットの前記めねじ部のねじ山の断面形状は四角形であることを特徴とする締付結合装置。
【請求項４】
請求項１ないし請求項３のいずれかに記載の締付結合装置において、
前記キーナットの外周面に前記おねじ部とは別のおねじ部が形成され、
筒状の本体部の内周面に前記キーナットの前記別のおねじ部と螺合可能なめねじ部が形成され、前記キーナットと組み合わされてキーナットを前記ボルトと前記被締付結合部材に対して緩める緩め専用ナットを備え、
前記キーナットの前記別のおねじ部と前記緩め専用ナットの前記めねじ部のねじ山の巻き方向は、前記ボルトの前記おねじ部、前記締め専用ナットの前記めねじ部、および該ねじ部と螺合可能な前記キーナットの前記めねじ部と前記おねじ部のねじ山の巻き方向と反対であることを特徴とする締付結合装置。
【請求項５】
棒状の本体部の外周面におねじ部が形成され、一端に頭部が形成されたボルトの、前記本体部を被締付結合部材に形成された孔へ貫通させ、
次に、筒状の本体部の内周面に前記ボルトの前記おねじ部と螺合可能なめねじ部が形成され、外周面に前記ボルトの前記おねじ部より粗い形状のおねじ部と円形の鍔部が形成されたキーナットの、前記めねじ部を前記ボルトの前記おねじ部と螺合させ、かつ、筒状の本体部の内周面に前記キーナットの前記おねじ部と螺合可能なめねじ部が形成された締め専用ナットの、前記めねじ部を前記キーナットの前記おねじ部と螺合させ、
次に、前記締め専用ナットを一方へ回転させることにより、前記キーナットを前記ボルトと前記被締付結合部材に対して締めて、キーナットとボルトの前記頭部とで被締付結合部材を締め付けて結合し、
次に、前記締め専用ナットを他方へ回転させることにより、前記キーナットを前記ボルトと前記被締付結合部材に対して緩めることなく、締め専用ナットをキーナットから外すことを特徴とする締付結合方法。
【請求項６】
請求項５に記載の締付結合方法において、
前記キーナットの外周面に前記おねじ部とは別に、該おねじ部および前記ボルトの前記おねじ部とねじ山の巻き方向が反対であるおねじ部が形成され、
前記締め専用ナットを前記キーナットから外した後、筒状の本体部の内周面に前記キーナットの前記別のおねじ部と螺合可能なめねじ部が形成された緩め専用ナットの、前記めねじ部を前記キーナットの前記別のおねじ部と螺合させ、
次に、前記緩め専用ナットを一方へ回転させることにより、前記キーナットを前記ボルトと前記被締付結合部材に対して緩めることを特徴とする締付結合方法。
【発明の詳細な説明】
【技術分野】
【０００１】
本発明は、被締付結合部材を締め付けて結合する締付結合装置および締付結合方法に関し、特に被締付結合部材の締め付け結合後の悪戯防止に関するものである。
【背景技術】
【０００２】
ボルトとナットは、被締付結合部材を締め付けて結合するのに便利な手段であり、広い分野で多用されている。ところが、汎用性の高い一般的なボルトとナットは、汎用性の高い一般的なレンチやスパナ等の工具を用いて、直接容易に緩めたり外したりすることができる。このため、第三者により悪戯でボルトとナットが緩められたり外されたりして、被締付結合部材の結合部分が強度不足に陥ったり、被締付結合部材が持ち去られたりする等の損害を被ることがある。特に、被締付結合部材がアルミ製の高欄や銅製の銘板等の高価な屋外設置構造物等の場合には、該被締付結合部材の持ち去りが多発している。
【０００３】
そこで、ボルトとナットの悪戯防止対策として、特殊な専用の工具でしか締めたり緩めたりすることができない特殊な形状のボルト等が用いられている。また、被締付結合部材の締め付け結合後にボルトの頭部等を覆うように取り付けられて、特殊な専用の工具でしか外すことができないボナキャップ（登録商標）等が用いられている。一方、ボルトとナットの緩み防止対策として、下記の特許文献１に開示されているように、ボルトとともに２つのナットで被締付結合部材を締め付けて結合し、２つのナットの互いに螺合するめねじ部とおねじ部のねじ山のピッチを、各ナットとボルトの互いに螺合するめねじ部とおねじ部のねじ山のピッチより小さくして、締め付け結合力を高めて緩みにくくすることが行われている。
【０００４】
しかし、特殊な形状のボルト等のように特殊な専用の工具でしか締めること等ができないというのは、該工具の紛失や他での使用等の場合によっては不便であり、作業性が悪い。また、ボナキャップ等は部品点数が多く高価で、コストがかかってしまう。さらに、特許文献１のような構造では、ある程度大きな力を発揮すれば、レンチやスパナ等の工具でボルトとナットを直接緩めることは可能であり、悪戯を防止できない。
【０００５】
【特許文献１】特開平８−２４７１２９号公報
【発明の開示】
【発明が解決しようとする課題】
【０００６】
本発明は、上記問題点を解決するものであって、その課題とするところは、悪戯による緩みと外れを防止できる締付結合装置および締付結合方法を提供することにある。
【課題を解決するための手段】
【０００７】
本発明に係る締付結合装置は、棒状の本体部の外周面におねじ部が形成され、一端に頭部が形成され、本体部が被締付結合部材に形成された孔を貫通するボルトと、筒状の本体部の内周面にボルトのおねじ部と螺合可能なめねじ部が形成され、外周面におねじ部と円形の鍔部が形成され、ボルトと組み合わされてボルトとともに被締付結合部材を締め付けて結合するキーナットと、筒状の本体部の内周面にキーナットのおねじ部と螺合可能なめねじ部が形成され、キーナットと組み合わされてキーナットをボルトと被締付結合部材に対して締め、被締付結合部材の締め付け結合状態でキーナットから外される締め専用ナットとを備え、ボルトのおねじ部とキーナットのめねじ部の形状より、キーナットのおねじ部と締め専用ナットのめねじ部の形状の方が粗い。
【０００８】
また、本発明に係る締付結合方法は、棒状の本体部の外周面におねじ部が形成され、一端に頭部が形成されたボルトの、前記本体部を被締付結合部材に形成された孔へ貫通させ、次に、筒状の本体部の内周面にボルトのおねじ部と螺合可能なめねじ部が形成され、外周面にボルトのおねじ部より粗い形状のおねじ部と円形の鍔部が形成されたキーナットの、前記めねじ部をボルトのおねじ部と螺合させ、かつ、筒状の本体部の内周面にキーナットのおねじ部と螺合可能なめねじ部が形成された締め専用ナットの、前記めねじ部をキーナットのおねじ部と螺合させ、次に、締め専用ナットを一方へ回転させることにより、キーナットをボルトと被締付結合部材に対して締めて、キーナットとボルトの頭部とで被締付結合部材を締め付けて結合し、次に、締め専用ナットを他方へ回転させることにより、キーナットをボルトと被締付結合部材に対して緩めることなく、締め専用ナットをキーナットから外す。
【０００９】
上記のようにすると、キーナットの外周面におねじ部とともに鍔部が形成されているので、被締付結合部材にボルトを貫通させて、ボルトおよび各ナットを螺合した後、例えば締め専用ナットを一方へ回転させることにより、締め専用ナットで鍔部を押して、キーナットをボルトと被締付結合部材に対して確実に締めて行くことができる。このため、キーナットとボルトの頭部とで被締付結合部材を強固に締め付けて結合することが可能となる。また、ボルトのおねじ部とキーナットのめねじ部より、キーナットのおねじ部と締め専用ナットのめねじ部の方が形状が粗いので、螺合時の摩擦力が小さくなり、緩み易くすることができる。このため、被締付結合部材の締め付け結合後に、キーナットを確実に緩めることなく、締め専用ナットを他方へ回転させてキーナットから外すことが可能となる。そして、締め専用ナットを外すと、汎用性の高い一般的なレンチやスパナ等の工具でキーナットを直接把持して緩めることができなくなり、ボルトとキーナットの第三者の悪戯による緩みと外れを確実に防止することが可能になる。また、ボルトと締め専用ナットとして、汎用性の高い一般的なボルトとナットを用いると、汎用性の高い一般的なレンチやスパナ等の工具でボルトと締め専用ナットを把持して、一方を固定し他方を回転させてキーナットを締めて、被締付結合部材を容易に締め付けて結合することができ、また締め専用ナットを回転させてキーナットから外すことができる。このため、特殊な専用の工具が不要となり、コストを低く抑えて、作業性を良くすることが可能となる。
【００１０】
また、本発明の一実施形態では、上記締付結合装置において、ボルトのおねじ部とキーナットのめねじ部のねじ山のピッチより、キーナットのおねじ部と締め専用ナットのめねじ部のねじ山のピッチの方が大きい。
【００１１】
このようにすると、ボルトのおねじ部とキーナットのめねじ部より、キーナットのおねじ部と締め専用ナットのめねじ部の方が形状が粗くなり、螺合時の摩擦力が簡単に小さくなり、確実に緩み易くすることができる。
【００１２】
また、本発明の一実施形態では、上記締付結合装置において、ボルトのおねじ部とキーナットのめねじ部のねじ山の断面形状は三角形であり、キーナットのおねじ部と締め専用ナットのめねじ部のねじ山の断面形状は四角形である。
【００１３】
このようにすると、ボルトのおねじ部とキーナットのめねじ部より、キーナットのおねじ部と締め専用ナットのめねじ部の方が形状が粗くなり、螺合時の摩擦力が大幅に小さくなり、一層確実に緩み易くすることができる。
【００１４】
また、本発明の一実施形態では、上記締付結合装置において、キーナットの外周面におねじ部とは別のおねじ部が形成され、筒状の本体部の内周面にキーナットの別のおねじ部と螺合可能なめねじ部が形成され、キーナットと組み合わされてキーナットをボルトと被締付結合部材に対して緩める緩め専用ナットを備え、キーナットの別のおねじ部と緩め専用ナットのめねじ部のねじ山の巻き方向は、ボルトのおねじ部、締め専用ナットのめねじ部、および該ねじ部と螺合可能なキーナットのめねじ部とおねじ部のねじ山の巻き方向と反対である。
【００１５】
さらに、本発明の一実施形態では、上記締付結合方法において、キーナットの外周面に前記おねじ部とは別に、該おねじ部およびボルトのおねじ部とねじ山の巻き方向が反対であるおねじ部が形成され、締め専用ナットをキーナットから外した後、筒状の本体部の内周面にキーナットの別のおねじ部と螺合可能なめねじ部が形成された緩め専用ナットの、めねじ部をキーナットの別のおねじ部と螺合させ、次に、緩め専用ナットを一方へ回転させることにより、キーナットをボルトと被締付結合部材に対して緩める。
【００１６】
上記のようにすると、キーナットの別のおねじ部と緩め専用ナットのめねじ部のねじ山の巻き方向が、他のボルト、締め専用ナット、およびキーナットのおねじ部およびめねじ部のねじ山の巻き方向と反対なので、緩め専用ナットのめねじ部をキーナットの別のおねじ部と螺合させて、緩め専用ナットを一方へ回転させることにより、緩め専用ナットでキーナットをボルトと被締付結合部材に対して容易かつ確実に緩めたり外したりすることができる。そして、締め専用ナットと緩め専用ナットにより、キーナットをボルトと被締付結合部材に対して締めたり緩めたりして着脱自在にし、被締付結合部材を締め付けて結合したり該結合を解除したりできるので、締付結合装置の利便性を高めることが可能となる。
【発明の効果】
【００１７】
本発明によれば、ボルトを被締付結合部材に貫通させて、ボルトおよび各ナットを螺合した後、汎用性の高い一般的な工具で締め専用ナットを介してキーナットを確実に締めて、キーナットとボルトで被締付結合部材を強固に締め付けて結合し、該状態でキーナットを確実に緩めることなく、該ナットから締め専用ナットを外すことができるので、以降はキーナットを汎用性の高い一般的な工具で直接緩めることができなくなり、コストがかからず、作業性が良く、ボルトとキーナットの第三者の悪戯による緩みと外れを確実に防止することが可能になる。
【発明を実施するための最良の形態】
【００１８】
以下、本発明の実施の形態につき図を参照しながら説明する。なお、便宜上、各図において実質的に同一または対応する部分には同一符号を付している。
【００１９】
図１Ａ〜図１Ｃは、本発明の第１実施形態に係る締付結合装置１０１を示す図である。締付結合装置１０１は、図１Ａに示すようにボルト１、キーナット２、および締め専用ナット３から構成されている。図１Ａでは、ボルト１については、側面図を示し、各ナット２、３については、中心線（一点鎖線）より右側に側面図を示し、左側に断面図を示している。ボルト１は、汎用性の高い一般的な六角ボルトから成る。ボルト１の棒状の本体部１ａの外周面には、おねじ部１ｂが形成され、一端には、頭部１ｃが形成されている。頭部１ｃの径は、本体部１ａおよびおねじ部１ｂより大きくなっている。キーナット２の筒状の本体部２ａの内周面には、ボルト１のおねじ部１ｂと螺合可能なめねじ部２ｂが形成され、外周面には、おねじ部２ｃと鍔部２ｄが形成されている。鍔部２ｄは、キーナット２の外周面の一端に本体部２ａの径方向へ突出するように形成されていて、外形が軸方向から見て円形状で滑り易くなっているため、図示しない一般的で汎用的なレンチやスパナ等の工具で把持することができない。締め専用ナット３は、汎用性の高い一般的な六角ナットから成る。締め専用ナット３の筒状の本体部３ａの内周面には、キーナット２のおねじ部２ｃと螺合可能なめねじ部３ｃが形成されている。ボルト１の頭部１ｃと締め専用ナット３の本体部３ａの外形は、軸方向から見て六角形状になっているため、図示しない汎用性の高い一般的なレンチやスパナ等の工具で把持して、固定したり軸回りに回転させたりすることができる。
【００２０】
ボルト１のおねじ部１ｂとキーナット２のめねじ部２ｂのねじ山のピッチＰ１より、キーナット２のおねじ部２ｃと締め専用ナット３のめねじ部３ｃのねじ山のピッチＰ２の方が大きくなっている（Ｐ１＜Ｐ２）。これにより、おねじ部１ｂとめねじ部２ｂより、おねじ部２ｃとめねじ部３ｃの方が形状が粗く、螺合時の摩擦力が小さく、締めたり緩ませたりするのが容易になっている。ボルト１およびナット２、３の各ねじ部１ｂ、２ｂ、２ｃ、３ｃは、ねじ山の巻き方向が右上がりになっている右ねじであり、ねじ山の断面形状が三角形になっている三角ねじである。
【００２１】
締付結合装置１０１は、例えば図１Ｂおよび図１Ｃに示すように使用される。５はワッシャ、６、７は被締付結合部材である。ワッシャ５と被締付結合部材６、７には、ボルト１の本体部１ａを貫通させ、ボルト１の頭部１ｃおよびナット２、３を貫通させない大きさの孔５ａ、６ａ、７ａがそれぞれ形成されている。ボルト１の本体部１ａは、ワッシャ５、被締付結合部材６、７、およびキーナット２の厚みを合計した値より長くなっている。
【００２２】
締付結合装置１０１によって被締付結合部材６、７を締め付けて結合する手順は、先ずボルト１の本体部１ａをワッシャ５と被締付結合部材６、７の孔５ａ、６ａ、７ａへ貫通させる。次に、キーナット２のめねじ部２ｂを鍔部２ｄ側から、孔７ａより突出したボルト１のおねじ部１ｂと螺合させ、かつ、締め専用ナット３のめねじ部３ｃをキーナット２のおねじ部２ｃと螺合させる。次に、レンチやスパナ等の工具を締め専用ナット３とボルト１の頭部１ｃに係合させて、該工具で、例えば頭部１ｃを固定しつつ締め専用ナット３を締め方向（右回り）へ回転させることにより、キーナット２をボルト１と被締付結合部材６、７に対して締めて、図１Ｂに示すようにキーナット２とボルト１の頭部１ｃとで被締付結合部材６、７を締め付けて結合する。詳しくは、締め専用ナット３が締め方向へ回転することにより、被締付結合部材６、７側へ前進して、キーナット２に対して締まって行き、鍔部２ｄに接触して、鍔部２ｄを被締付結合部材６、７側へ押す。これにより、キーナット２が締め専用ナット３とともに締め方向へ回転し、被締付結合部材６、７側へ前進して、ボルト１と被締付結合部材６、７に対して締まって行き、キーナット２とボルト１の頭部１ｃとで被締付結合部材６、７が強固に締め付けられて結合される。
【００２３】
そして、レンチやスパナ等の工具でボルト１の頭部１ｃを固定しつつ締め専用ナット３を緩め方向（左周り）へ回転させることにより、図１Ｃに示すようにキーナット２をボルト１と被締付結合部材６、７に対して緩めることなく、締め専用ナット３をキーナット２から外す。詳しくは、ボルト１のおねじ部１ｂとキーナット２のめねじ部２ｂより、キーナット２のおねじ部２ｃと締め専用ナット３のめねじ部３ｃの方が摩擦力が小さいため、締め専用ナット３が緩め方向へ回転することにより、キーナット２が締め専用ナット３とともに緩め方向へ回転せずに、締め専用ナット３だけがキーナット２に対して緩んで、被締付結合部材６、７と反対側へ後退して行き、キーナット２から外れる。これにより、レンチやスパナ等の工具でキーナット２を直接把持して緩めることができなくなる。
【００２４】
図２Ａ〜図２Ｃは、本発明の第２実施形態に係る締付結合装置１０２を示す図である。締付結合装置１０２は、図２Ａに示すようにボルト１、キーナット２１、および締め専用ナット３１から構成されている。図２Ａでは、ボルト１については、側面図を示し、各ナット２１、３１については、中心線より右側に側面図を示し、左側に断面図を示している。キーナット２１および締め専用ナット３１の図１Ａ等に示したキーナット２および締め専用ナット３との相違点は、キーナット２１の外周面と締め専用ナット３１の内周面に、ねじ山の断面形状が四角形（台形または略正方形）である螺合可能なおねじ部２ｅとめねじ部３ｅがそれぞれ形成されている点である。つまり、キーナット２１のおねじ部２ｅと締め専用ナット３１のめねじ部３ｅが移動用ねじに適した台形ねじまたは角ねじであるのに対し、ボルト１のおねじ部１ｂとキーナット２１のめねじ部２ｂは三角ねじである。これにより、おねじ部１ｂとめねじ部２ｂより、おねじ部２ｅとめねじ部３ｅの方が形状が粗く、螺合時の摩擦力が大幅に小さく、締めたり緩ませたりするのが一層容易になっている。おねじ部２ｅとめねじ部３ｅは、おねじ部１ｂとめねじ部２ｂと同様に、ねじ山の巻き方向が右上がりになっている右ねじである。締め専用ナット３１は、汎用性のある六角ナットである。
【００２５】
締付結合装置１０２によって被締付結合部材６、７を締め付けて結合する手順は、締付結合装置１０１と同様である。つまり、先ずボルト１の本体部１ａをワッシャ５と被締付結合部材６、７の孔５ａ、６ａ、７ａへ貫通させて、キーナット２１のめねじ部２ｂをボルト１のおねじ部１ｂと螺合させ、かつ締め専用ナット３１のめねじ部３ｅをキーナット２１のおねじ部２ｅと螺合させる。次に、レンチやスパナ等の工具で締め専用ナット３１を締め方向へ回転させて、キーナット２１をボルト１と被締付結合部材６、７に対して締めて、図２Ｂに示すようにキーナット２１とボルト１の頭部１ｃとで被締付結合部材６、７を締め付けて結合する。そして、レンチやスパナ等の工具で締め専用ナット３１を緩め方向へ回転させることにより、図２Ｃに示すようにキーナット２１をボルト１と被締付結合部材６、７に対して緩めることなく、締め専用ナット３１をキーナット２１から外す。
【００２６】
図３Ａ〜図３Ｅは、本発明の第３実施形態に係る締付結合装置１０３を示す図である。締付結合装置１０３は、図３Ａに示すようにボルト１１、キーナット２２、締め専用ナット３、および緩め専用ナット４から構成されている。図３Ａでは、ボルト１１については、側面図を示し、各ナット２２、３、４については、中心線より右側に側面図を示し、左側に断面図を示している。ボルト１１の図１Ａ等に示したボルト１との相違点は、本体部１ａおよびおねじ部１ｂの軸方向の長さである。ボルト１の本体部１ａおよびおねじ部１ｂより、ボルト１１の本体部１ａおよびおねじ部１ｂの方が軸方向に長くなっている。ボルト１１は、ボルト１と同様に、汎用性の高い一般的な六角ボルトである。
【００２７】
キーナット２２の図１Ａ等に示したキーナット２との相違点は、本体部２ａの形状とおねじ部２ｆである。キーナット２の本体部２ａより、キーナット２２の本体部２ａの方が軸方向に長くなっている。キーナット２２の本体部２ａの外周面のおねじ部２ｃと鍔部２ｄの間には、おねじ部２ｃとは別のおねじ部２ｆが形成されている。キーナット２２のおねじ部２ｃより、キーナット２２のおねじ部２ｆの方が径（外径、有効径、谷の径、および内径）とねじ山のピッチ等が大きくなっている。おねじ部２ｆのおねじ部２ｃ側の端には、おねじ部２ｃの外径より大きな径の鍔部２ｇが鍔部２ｄと平行に形成されている。緩め専用ナット４は、汎用性のある六角ナットから成る。緩め専用ナット４の筒状の本体部４ａは、外形が軸方向から見て六角形状になっているため、汎用性の高い一般的なレンチやスパナ等の工具で把持して、固定したり軸回りに回転させたりすることができる。緩め専用ナット４の本体部４ａの内周面には、キーナット２２のおねじ部２ｆと螺合可能なめねじ部４ｆが形成されている。
【００２８】
キーナット２２のおねじ部２ｆと緩め専用ナット４のめねじ部４ｆは、ねじ山の巻き方向が左上がりになっている左ねじであり、ねじ山の断面形状が三角形になっている三角ねじである。ボルト１１のおねじ部１ｂとキーナット２２のめねじ部２ｂのねじ山のピッチＰ１およびキーナット２２のおねじ部２ｃと締め専用ナット３のめねじ部３ｃのねじ山のピッチＰ２より、キーナット２２のおねじ部２ｆと緩め専用ナット４のめねじ部４ｆのねじ山のピッチＰ３の方が大きくなっている（Ｐ１＜Ｐ２＜Ｐ３）。これにより、おねじ部１ｂ、２ｃおよびめねじ部２ｂ、３ｃより、おねじ部２ｆおよびめねじ部４ｆの方が形状が粗く、螺合時の摩擦力が小さく、締めたり緩ませたりするのが容易になっている。
【００２９】
締付結合装置１０３によって被締付結合部材６、７を締め付けて結合する手順は、締付結合装置１０１と同様である。つまり、先ずボルト１１の本体部１ａをワッシャ５と被締付結合部材６、７の孔５ａ、６ａ、７ａへ貫通させて、キーナット２２のめねじ部２ｂをボルト１１のおねじ部１ｂと螺合させ、かつ締め専用ナット３のめねじ部３ｃをキーナット２２のおねじ部２ｃと螺合させる。次に、レンチやスパナ等の工具で締め専用ナット３を締め方向へ回転させて、キーナット２２をボルト１１と被締付結合部材６、７に対して締めて、図３Ｂに示すようにキーナット２２とボルト１１の頭部１ｃとで被締付結合部材６、７を締め付けて結合する。この際、締め専用ナット３が鍔部２ｇに接触して、鍔部２ｇを被締付結合部材６、７側へ押すことにより、キーナット２２が締め専用ナット３とともに締め方向へ回転して締まって行く。そして、レンチやスパナ等の工具で締め専用ナット３を緩め方向へ回転させることにより、図３Ｃに示すようにキーナット２２をボルト１１と被締付結合部材６、７に対して緩めることなく、締め専用ナット３をキーナット２２から外す。
【００３０】
図３Ｃの被締付結合部材６、７の締め付け結合状態を解除する手順は、先ず緩め専用ナット４のめねじ部４ｆをキーナット２２のおねじ部２ｆに螺合させる。次に、レンチやスパナ等の工具で緩め専用ナット４を締め方向（左回り）へ回転させて、被締付結合部材６、７側へ前進させ、キーナット２２に対して締めて行く。そして、図３Ｄに示すように緩め専用ナット４がキーナット２２の鍔部２ｄに接触した後、さらに緩め専用ナット４を締め方向へ回転させ続けることにより、キーナット２２をボルト１１と被締付結合部材６、７に対して緩める。詳しくは、緩め専用ナット４が左回りに回転することにより、キーナット２２が緩め専用ナット４とともに左回り（緩み方向）に回転して、図３Ｅに示すように被締付結合部材６、７と反対側へ後退し、ボルト１と被締付結合部材６、７に対して緩まって行く。この後、ボルト１１からキーナット２２と緩め専用ナット４を外して、ボルト１１を被締付結合部材６、７とワッシャ５から外す。
【００３１】
以上述べた実施形態によると、キーナット２、２１、２２の外周面におねじ部２ｃ、２ｅ、２ｆとともに鍔部２ｄ、２ｇが形成されているので、ワッシャ５と被締付結合部材６、７の孔５ａ、６ａ、７ａにボルト１、１１を貫通させて、ボルト１、１１および各ナット２、２１、２２、３、３１を螺合した後、締め専用ナット３、３１を締め方向へ回転させることにより、締め専用ナット３、３１で鍔部２ｄまたは鍔部２ｇを押して、キーナット２、２１、２２をボルト１、１１と被締付結合部材６、７に対して確実に締めて行くことができる。このため、キーナット２、２１、２２とボルト１、１１の頭部１ｃとで被締付結合部材６、７を強固に締め付けて結合することが可能となる。
【００３２】
また、ボルト１、１１のおねじ部１ｂとキーナット２、２１、２２のめねじ部２ｂより、キーナット２、２１、２２のおねじ部２ｃ、２ｅと締め専用ナット３、３１のめねじ部３ｃ、３ｅの方が形状が粗いので、螺合時の摩擦力が小さくなり、緩み易くすることができる。特に、図１Ａや図３Ａ等に示したようにおねじ部１ｂとめねじ部２ｂより、おねじ部２ｃとめねじ部３ｃのねじ山のピッチを大きくして形状を粗くすると、前者より後者の螺合時の摩擦力を簡単に小さくして、確実に緩み易くすることができる。また、図２Ａ等に示したようにおねじ部１ｂとめねじ部２ｂのねじ山の断面形状を三角形にし、おねじ部２ｅとめねじ部３ｅのねじ山の断面形状を四角形にして、おねじ部１ｂとめねじ部２ｂよりおねじ部２ｅとめねじ部３ｅの形状を粗くすると、前者より後者の螺合時の摩擦力を大幅に小さくして、確実に緩み易くすることができる。このため、キーナット２、２１、２２とボルト１、１１の頭部１ｃで被締付結合部材６、７を締め付けて結合した後、キーナット２、２１、２２をより確実に緩めることなく、締め専用ナット３、３１を緩め方向へ回転させてキーナット２、２１、２２から外すことが可能となる。
【００３３】
そして、キーナット２、２１、２２とボルト１、１１の頭部１ｃで被締付結合部材６、７を締め付けて結合した後、締め専用ナット３、３１をキーナット２、２１、２２から外すことで、汎用性の高い一般的なレンチやスパナ等の工具で、キーナット２、２１、２２を直接把持して緩めることができなくなり、ボルト１、１１とキーナット２、２１、２２の第三者の悪戯による緩みと外れを確実に防止することが可能になる。この結果、被締付結合部材６、７の結合部分が強度不足に陥ったり、被締付結合部材６、７が持ち去られたりする等の損害の発生を阻止することが可能となる。
【００３４】
また、ボルト１、１１と締め専用ナット３として、汎用性の高い一般的な六角ボルトと六角ナットを用い、締め専用ナット３１として、汎用性のある六角ナットを用いているので、汎用性の高い一般的なレンチやスパナ等の工具でボルト１、１１と締め専用ナット３、３１を把持して、一方を固定し他方を回転させてキーナット２、２１、２２を締めて、被締付結合部材６、７を容易に締め付けて結合することができ、また締め専用ナット３、３１を回転させてキーナット２、２１、２２を緩めることなく外すことができる。このため、特殊な専用の工具が不要となり、コストを低く抑えて、作業性を良くすることが可能となる。
【００３５】
また、図３Ａ等に示したようにキーナット２２の外周面におねじ部２ｆを形成し、該おねじ部２ｆに螺合可能なめねじ部４ｆを有する緩め専用ナット４を設け、おねじ部２ｆとめねじ部４ｆのねじ山の巻き方向を、他のボルト１１、締め専用ナット３、およびキーナット２２のおねじ部１ｂ、２ｃおよびめねじ部２ｂ、３ｃのねじ山の巻き方向と反対にしているので、被締付結合部材６、７を締め付けて結合して、キーナット２２から締め専用ナット３を外した後、めねじ部４ｆをおねじ部２ｆと螺合させて、緩め専用ナット４を締め方向へ回転させることにより、緩め専用ナット４でキーナット２２をボルト１１と被締付結合部材６、７に対して容易かつ確実に緩めたり外したりすることができる。
【００３６】
また、緩め専用ナット４として、汎用性のある六角ナットを用いているので、汎用性の高い一般的なレンチやスパナ等の工具で緩め専用ナット４を把持して締め方向へ回転させて、キーナット２２を一層容易かつ確実に緩めて外すことができ、特殊な専用の工具が不要となり、コストを低く抑えて、作業性を良くすることが可能となる。然も、ボルト１１、締め専用ナット３、およびキーナット２２のおねじ部１ｂ、２ｂとめねじ部２ｃ、３ｃを右ねじにしているのに対して、キーナット２２のおねじ部２ｆと緩め専用ナット４のめねじ部４ｆを右ねじに比べて汎用性が低く一般的でない左ねじにしているので、緩め専用ナット４またはこれの代用品は希少で、第三者による入手が困難であり、被締付結合部材６、７を締め付けて結合した後、ボルト１１とキーナット２２の第三者の悪戯による緩みと外れを一層防止することが可能になる。
【００３７】
さらに、締め専用ナット３と緩め専用ナット４により、キーナット２２をボルト１１と被締付結合部材６、７に対して締めたり緩めたりして着脱自在にし、キーナット２２とボルト１１の頭部１ｃで被締付結合部材６、７を締め付けて結合したり該結合を解除したりすることができるので、締付結合装置１０３の利便性を高めることが可能となる。
【００３８】
本発明は、以上述べた実施形態以外にも種々の形態を採用することができる。例えば、以上の実施形態では、ねじ山のピッチを異ならせて、または三角ねじか四角ねじにすることによって、ボルト１、１１のおねじ部１ｂとキーナット２、２１、２２のめねじ部２ｂより、キーナット２、２１、２２のおねじ部２ｃ、２ｅと締め専用ナット３、３１のめねじ部３ｃ、３ｅの形状を粗くした例を示しているが、これ以外に、例えば両者を三角ねじにして前者より後者のねじ山の傾斜角を大きくしたり、前者を一条ねじにして後者を多条ねじにしたりする等して、前者より後者の形状を粗くしてもよい。
【００３９】
また、以上の実施形態では、ボルト１、１１や締め専用ナット３として、汎用性の高い一般的な六角ボルトや六角ナットを用い、締め専用ナット３１や緩め専用ナット４として、汎用性のある六角ナットを用いた例を挙げているが、これ以外に、例えば特殊な専用の工具でしか締めたり緩めたりすることができない特殊な形状のボルトやナットを用いてもよい。このようにすると、被締付結合部材を締め付けて結合した状態での、ボルトとキーナットの悪戯防止の万全を図ることが可能となる。
【００４０】
さらに、図３Ａ等に示した第３実施形態では、キーナット２２の先端側（鍔部２ｄと反対側）に締め専用ナット３を螺合するおねじ部２ｃを形成し、根元側（鍔部２ｄ側）に緩め専用ナット４を螺合するおねじ部２ｆを形成した例を挙げているが、これと逆に、キーナットの先端側に緩め専用ナット４を螺合するおねじ部を形成し、根元側に締め専用ナット３を螺合するおねじ部を形成するようにしてもよい。
【図面の簡単な説明】
【００４１】
【図１Ａ】本発明の第１実施形態に係る締付結合装置を示す図である。
【図１Ｂ】本発明の第１実施形態に係る締付結合装置を示す図である。
【図１Ｃ】本発明の第１実施形態に係る締付結合装置を示す図である。
【図２Ａ】本発明の第２実施形態に係る締付結合装置を示す図である。
【図２Ｂ】本発明の第２実施形態に係る締付結合装置を示す図である。
【図２Ｃ】本発明の第２実施形態に係る締付結合装置を示す図である。
【図３Ａ】本発明の第３実施形態に係る締付結合装置を示す図である。
【図３Ｂ】本発明の第３実施形態に係る締付結合装置を示す図である。
【図３Ｃ】本発明の第３実施形態に係る締付結合装置を示す図である。
【図３Ｄ】本発明の第３実施形態に係る締付結合装置を示す図である。
【図３Ｅ】本発明の第３実施形態に係る締付結合装置を示す図である。
【符号の説明】
【００４２】
１、１１  ボルト
１ａ  本体部
１ｂ  おねじ部
１ｃ  頭部
２、２１、２２  キーナット
２ａ  本体部
２ｂ  めねじ部
２ｃ、２ｅ、２ｆ  おねじ部
２ｄ、２ｇ  鍔部
３、３１  締め専用ナット
３ａ  本体部
３ｃ、３ｅ  めねじ部
４  緩め専用ナット
４ａ  本体部
４ｆ  めねじ部
６、７  被締付結合部材
６ａ、７ａ  孔
１０１〜１０３  締付結合装置
Ｐ１、Ｐ２  ピッチ
【図１Ａ】
2008014469.tif 000003
【図１Ｂ】
2008014469.tif 000004
【図１Ｃ】
2008014469.tif 000005
【図２Ａ】
2008014469.tif 000006
【図２Ｂ】
2008014469.tif 000007
【図２Ｃ】
2008014469.tif 000008
【図３Ａ】
2008014469.tif 000009
【図３Ｂ】
2008014469.tif 000010
【図３Ｃ】
2008014469.tif 000011
【図３Ｄ】
2008014469.tif 000012
【図３Ｅ】
2008014469.tif 000013